(57)【要約】【課題】複数の受信データの共通部分と差分とを分析し複数の受信データを１つに統合しメモリに保存することで、メモリの領域を効率的に利用することを目的とする。【解決手段】携帯電話端末１００は、データを送受信する通信部２、装置各部および送受信データを制御する制御部３、データをメモリに記憶・保存する記憶部４、操作を受け付ける操作部７、表示部８、複数のデータの差分および共通部分を分析し、一つの入出力単位となるデータに統合するデータ分析部６を備えている。制御部３の制御により統合した統合データを記憶メモリ１７に保存した後、統合対象である統合対象データを記憶メモリ１７から削除する。【選択図】        図２
2006350833.tif 000002
【特許請求の範囲】
【請求項１】
メモリと、処理装置と、表示装置とを備えた情報処理装置において、
複数のデータをメモリに記憶する記憶部と、
前記記憶部がメモリに記憶した複数のデータのうち２つ以上のデータを処理装置が読み込んで比較し、比較した２つ以上のデータの共通部分と差分とを処理装置が抽出してメモリに書き込み、メモリに書き込んだ共通部分と差分とに基づいて前記２つ以上のデータを処理装置が統合するデータ分析部と、
前記データ分析部が統合したデータをメモリから読み込んで表示装置に表示する表示部と
を有することを特徴とする情報処理装置。
【請求項２】
前記情報処理装置は、
入力操作を入力装置より受け付ける操作部と、
前記操作部が入力装置より受け付けた入力操作に基づいて、統合すべき２つ以上のデータを、前記記憶部がメモリに記憶した複数のデータから処理装置が検索し、検索した統合すべき２つ以上のデータについて前記データ分析部に対して統合の依頼をする制御部と
を有することを特徴とする請求項１記載の情報処理装置。
【請求項３】
前記情報処理装置は、
ネットワークを介してデータの送受信をする通信部を有し、
前記記憶部は、
前記通信部が受信したデータをメモリに記憶する
ことを特徴とする請求項１記載の情報処理装置。
【請求項４】
前記２つ以上のデータは、データ種別毎にデータ内容を有しており、
前記データ分析部は、
２つ以上のデータのデータ内容をデータ種別毎に比較し、比較したデータ内容が合致した場合はデータ種別と合致したデータ内容とを共通部分としてメモリに書き込み、比較したデータ内容が合致しない場合はデータ種別と合致しない２つ以上のデータ内容とを差分としてメモリに書き込み、メモリに書き込んだ共通部分と差分とを処理装置が読み込んで入出力単位となる１つのデータにまとめ、
前記記憶部は、
前記入出力単位となる１つのデータを統合結果としてメモリに記憶する
ことを特徴とする請求項１記載の情報処理装置。
【請求項５】
前記２つ以上のデータは、データ種別として宛先、発信元、文章、元文章、添付ファイル毎にデータ内容を有しており、
前記データ分析部は、
２つ以上のデータのデータ内容をデータ種別毎に比較し、比較したデータ内容が合致した場合はデータ種別と合致したデータ内容とを共通部分としてメモリに書き込み、比較したデータ内容が合致しない場合はデータ種別と合致しない２つ以上のデータ内容とを差分としてメモリに書き込み、メモリに書き込んだ共通部分と差分とを処理装置が読み込んで入出力単位となる１つのデータにまとめ、
前記記憶部は、
前記入出力単位となる１つのデータを統合結果としてメモリに記憶する
ことを特徴とする請求項１記載の情報処理装置。
【請求項６】
前記制御部は、
前記統合結果をメモリから読み込んで前記操作部が受け付けた指示に基づいて編集し、編集した前記統合結果をメモリに書き込んで保存する
ことを特徴とする請求項４又は５に記載の情報処理装置。
【請求項７】
前記制御部は、
前記操作部が受け付けた指示に基づいて統合対象である前記２つ以上のデータをメモリから削除する
ことを特徴とする請求項４又は５に記載の情報処理装置。
【発明の詳細な説明】
【技術分野】
【０００１】
本発明は、電子データの送受信が可能な情報処理装置において、複数の受信データを１つの入出力単位となるデータに統合する技術に関するものである。
【背景技術】
【０００２】
従来の携帯情報端末では、受信メールの一部の文章を選択し返信メールに自動的に反映する手段を有しており、返信メールのデータ量を必要最低限に抑えることができるように構成されている。
【特許文献１】特開２００３−９２６１８号公報、第５図
【発明の開示】
【発明が解決しようとする課題】
【０００３】
従来の携帯情報端末は以上のように構成されているので、複数の宛先に発信した同報メールに対する複数の返信メールの内容を確認するために、全ての返信メールをメモリに保存しておく必要がある。そのため、携帯情報端末のメモリに効率的にメールデータを保存することができないという課題があった。さらに、一件毎に内容を確認する必要があるため、メールデータの入出力回数が多くなりユーザにとって手間が掛かるという課題があった。
【０００４】
本発明は、複数の受信データの共通部分と差分とを分析し複数の受信データを１つに統合しメモリに保存することで、メモリの領域を効率的に利用することを目的とする。
【課題を解決するための手段】
【０００５】
本発明に係る、メモリと、処理装置と、表示装置とを備えた情報処理装置は、
複数のデータをメモリに記憶する記憶部と、
前記記憶部がメモリに記憶した複数のデータのうち２つ以上のデータを処理装置が読み込んで比較し、比較した２つ以上のデータの共通部分と差分とを処理装置が抽出してメモリに書き込み、メモリに書き込んだ共通部分と差分とに基づいて前記２つ以上のデータを処理装置が統合するデータ分析部と、
前記データ分析部が統合したデータをメモリから読み込んで表示装置に表示する表示部とを有することを特徴とする。
【発明の効果】
【０００６】
本発明では、データ分析部が２つ以上のデータの共通部分と差分とを抽出し、抽出した共通部分と差分とに基づいてデータを統合し、統合したデータを記憶部がメモリに保存し、統合対象である２つ以上のデータをメモリから削除することにより、メモリ領域を効率的に利用することができる。
【０００７】
また、２つ以上のデータを統合し、１つの入出力単位となるデータとして保存することで、２つ以上のデータの内容を１回のアクセスで表示することができ、ユーザは効率的にデータの確認、編集をすることができる。
【発明を実施するための最良の形態】
【０００８】
実施の形態１．
本実施の形態では、本発明に係る情報処理装置の一例として、携帯電話端末を用いて説明する。
【０００９】
図１は、実施の形態１における携帯電話端末（情報処理装置の一例）１００のハードウェア構成の一例を示す図である。
【００１０】
図１において、携帯電話端末１００は、プログラムを実行する処理装置（ＣＰＵ：Ｃｅｎｔｒａｌ  Ｐｒｏｃｅｓｓｉｎｇ  Ｕｎｉｔ）１１を備えている。処理装置１１は、バス１８を介して入力装置１２、メモリ１５、通信装置１３、表示装置（表示画面）１４と接続されている。
【００１１】
メモリ１５は、端末制御プログラム等および各種のデータを記憶・保存する記憶メモリ１７とデータ加工用のワークメモリ１６とから構成されている。
【００１２】
また、スピーカ１９、マイク２０、アンテナ２１を備えている。
【００１３】
図２は実施の形態１に係る携帯電話端末１００のソフトウェア構成の一例を示す構成ブロック図である。
【００１４】
図２において、携帯電話端末１００は、通信路１を介してデータを送受信する通信部２、端末各部の動作の制御および送受信データを制御する機能を有する制御部３、メモリ１５にデータを記憶・保存する記憶部、複数のデータの差分および共通部分を分析し、一つの入出力単位となるデータに統合する機能を有するデータ分析部６、入力装置１２からの端末操作を受け付ける操作部７、端末の動作状態および各種データを表示画面１４に表示する表示部８から構成されている。
【００１５】
図２において、「通信部」、「制御部」、「記憶部」、「データ分析部」、「操作部」、「表示部」として説明する機能を実行するプログラムは記憶メモリ１７に記憶されている。プログラムは、処理装置（ＣＰＵ）１１により読み出され実行される。
【００１６】
図３は、実施の形態１に係る携帯電話端末１００の処理の流れを示すフローチャートである。
【００１７】
本実施の形態では、ユーザが複数の宛先に同報メールを発信し、その同報メールに対する複数の返信メールを、１つの入出力単位となる統合メールに統合する場合について説明する。本実施の形態における統合メールには、通常、ユーザが発信した同報メールの内容が「元文章」として引用されている。
【００１８】
以下に、携帯電話端末１００の動作について図３のフローチャートを用いて説明する。
【００１９】
下記で述べる携帯電話端末１００が送受信するメールは、本発明に係る情報処理装置が送受信するデータの一例である。
【００２０】
まず、ユーザが携帯電話端末１００より、操作部７及び表示部８を使って、複数の宛先を含む同報メールを作成し、通信部２から通信路１を介して発信する（ＳＴ３０１）。
【００２１】
通信部２は通信路１を介して同報メールに対する返信メールを複数受信し、記憶部４が記憶メモリ１７に記憶する（ＳＴ３０２）。
【００２２】
ユーザは操作部７及び表示部８を使って、同報メールに対する複数の返信メールのうちから、統合を要求する対象である複数の統合対象メールを受信メール一覧表から選択し、統合を指示する。制御部３は、選択した統合対象メールの内容を、一つの入出力単位となる統合メールに統合するように指示を受け付ける（ＳＴ３０３）。
【００２３】
制御部３が、ユーザが選択した複数の統合対象メールの管理番号を記憶メモリ１７の領域から検索し、データ分析部６に入力する（ＳＴ３０４）。
【００２４】
データ分析部６が、複数の統合対象メールのデータを記憶メモリ１７からワークメモリ１６に書き写し、共通部分と差分とを分析・抽出し、ワークメモリ１６上で、複数の統合対象メールのデータを統合し１つの統合メールを作成する（データ統合処理）（ＳＴ３０５）。統合対象メールのデータを統合するデータ統合処理については、後述する。
【００２５】
データ統合処理が完了すると、データ分析部６が、統合完了を制御部３に通知する（ＳＴ３０６）。制御部３は、統合完了を受け付けるとワークメモリ１６上の統合メールを表示部８に出力する（ＳＴ３０７）。ユーザは、表示部８が表示画面１４に出力した統合メールを、表示画面１４で確認する（ＳＴ３０８）。
【００２６】
次に、制御部３の制御により操作部７は、ユーザによる統合メールの編集指示を待つ（ＳＴ３０９）。ユーザが統合メールを編集する場合は、ユーザが操作部７と表示部８を使って統合メールを編集する（ＳＴ３１０）。
【００２７】
次に、制御部３の制御により操作部７は、ユーザによる統合メールの保存指示を待つ（ＳＴ３１１）。ユーザが統合メールの保存を指示した場合は、制御部３の制御により記憶部４がワークメモリ１６上の統合メールを記憶メモリ１７に保存する（ＳＴ３１２）。
【００２８】
次に、制御部３の制御により操作部７は、ユーザによる統合対象メールの破棄指示を待つ（ＳＴ３１３）。ユーザが統合対象メールの破棄を指示した場合、制御部３の制御により記憶部４が、記憶メモリ１７から統合対象メールのデータを削除する（ＳＴ３１４）。
【００２９】
以上のように、統合データを作成し、記憶メモリ１７に保存した後、複数の統合対象メールを削除することにより、メモリの領域を効率的に利用することができる。
【００３０】
以下に、図４、図６、図７を用いて実施の形態１におけるデータ分析部６のデータ統合処理（ＳＴ３０５）の流れを詳しく説明する。
【００３１】
図４は、実施の形態１におけるデータ統合処理を示すフローチャートである。
【００３２】
図６は、実施の形態１における共通部分ワークテーブルの例を示す図である。共通部分ワークテーブル６１は、ワークメモリ１６上に構成され、複数の統合対象メールの共通部分であるデータ種別とそのデータ内容を記憶する。
【００３３】
図７は、実施の形態１における差分ワークテーブルの例を示す図である。差分ワークテーブル７１は、ワークメモリ１６上に構成され、複数の統合対象メールの差分であるデータ種別とその内容を記憶する。
【００３４】
まず、制御部３が統合対象メールの管理番号を記憶メモリ１７から検索し、データ分析部６に入力すると、データ分析部６は統合対象メールをワークメモリ１６に読み出す（ＳＴ４０１）。
【００３５】
データ分析部６が統合対象メールのデータ種別である「宛先」を比較する（ＳＴ４０２、ＳＴ４０３）。
【００３６】
統合対象メールの「宛先」のデータ内容が合致する場合は、データ分析部６の指示により、記憶部４が共通部分ワークテーブル６１のデータ種別に「宛先」を書き込み、記憶部４がデータ内容に宛先のデータ内容を書き込む（ＳＴ４０４）。統合対象メールの「宛先」のデータ内容が合致しない場合は、データ分析部６の指示により、記憶部４が差分ワークテーブル７１のデータ種別に「宛先」を書き込み、記憶部４がデータ内容に合致しないそれぞれの宛先のデータ内容を書き込む（ＳＴ４０５）。
【００３７】
データ分析部６が統合対象メールのデータ種別である「発信元」を比較する（ＳＴ４０６）。
【００３８】
統合対象メールの「発信元」のデータ内容が合致する場合は、データ分析部６の指示により、記憶部４が共通部分ワークテーブル６１のデータ種別に「発信元」を書き込み、記憶部４がデータ内容に発信元のデータ内容を書き込む（ＳＴ４０７）。統合対象メールの「発信元」のデータ内容が合致しない場合は、データ分析部６の指示により、記憶部４が差分ワークテーブル７１のデータ種別に「発信元」を書き込み、記憶部４がデータ内容に合致しないそれぞれの発信元のデータ内容を書き込む（ＳＴ４０８）。
【００３９】
データ分析部６が統合対象メールのデータ種別である「文章」を比較する（ＳＴ４０９）。
【００４０】
統合対象メールの「文章」のデータ内容が合致する場合は、データ分析部６の指示により、記憶部４が共通部分ワークテーブル６１のデータ種別に「文章」を書き込み、記憶部４がデータ内容に文章のデータ内容を書き込む（ＳＴ４１０）。統合対象メールの「文章」のデータ内容が合致しない場合は、データ分析部６の指示により、記憶部４が差分ワークテーブル７１のデータ種別に「文章」を書き込み、記憶部４がデータ内容に合致しないそれぞれの文章のデータ内容を書き込む（ＳＴ４１１）。
【００４１】
データ分析部６が統合対象メールのデータ種別である「元文章」を比較する（ＳＴ４１２）。
【００４２】
統合対象メールの「元文章」のデータ内容が合致する場合は、データ分析部６の指示により、記憶部４が共通部分ワークテーブル６１のデータ種別に「元文章」を書き込み、記憶部４がデータ内容に元文章のデータ内容を書き込む（ＳＴ４１３）。統合対象メールの「元文章」のデータ内容が合致しない場合は、データ分析部６の指示により、記憶部４が差分ワークテーブル７１のデータ種別に「元文章」を書き込み、記憶部４がデータ内容に合致しないそれぞれの元文章のデータ内容を書き込む（ＳＴ４１４）。
【００４３】
データ分析部６は、分析・抽出した共通部分ワークテーブル６１と差分ワークテーブル７１に基づいて１つの入出力単位となる統合メールを作成する（ＳＴ４１５）。
【００４４】
図５は、実施の形態１に係る同報メールに対する２つの返信メールを統合した場合の表示画面の一例を示す図である。
【００４５】
また、図６は、実施の形態１における共通部分ワークテーブルの例を示す図である。
【００４６】
共通部分ワークテーブル６１は、ワークメモリ１６上に構成され、複数の統合対象メールの共通部分であるデータ種別とそのデータ内容を記憶する。
【００４７】
図５より、本実施の形態では、返信メールＡと返信メールＢの共通部分である「宛先：宛先情報ＣＣＣ」と「元文章：＞ＣＣＣＣＣＣＣＣ」が格納されている。
【００４８】
図７は、実施の形態１における差分ワークテーブルの例を示す図である。
【００４９】
差分ワークテーブル７１は、ワークメモリ１６上に構成され、複数の統合対象メールの差分であるデータ種別とその内容を記憶する。
【００５０】
図５より、本実施の形態では、返信メールＡと返信メールＢの差分である「発信元：発信元情報ＡＡＡ」、「発信元：発信元情報ＢＢＢ」、「文章：ＡＡＡＡＡＡＡＡ」、「文章：ＢＢＢＢＢＢＢＢ」が格納されている。また、発信元と文章を対応づけるために、発信元に対応する文章へのポインタＰＡ，ＰＢがそれぞれ格納されている。
【００５１】
データ分析部６は、共通部分ワークテーブル６１と差分ワークテーブル７１との情報に基づいて、１つの入出力単位となる統合メールＣ５３を作成する。
【００５２】
前述したように、統合メールＣ５３の作成後、統合対象メールである返信メールＡ５１と返信メールＢ５２を記憶メモリ１７から削除することができるので、メモリの領域を効率的に利用することができる。
【００５３】
また、統合対象メールである返信メールＡ５１と返信メールＢ５２のデータ内容はすべて統合メールＣ５３に含まれている。さらに、統合メールＣ５３は１回のアクセスで読み出し可能であることから、ユーザは２つの返信メールの内容を１回のアクセスで確認することができ、ユーザの手間を削減することができる。
【００５４】
以上のように、本実施の形態では、電子メールを送受信可能な携帯電話端末１００において、同報メールに対する複数の返信メールの共通部分と差分を抽出し、一つに統合する手段を有し、表示、編集、保存できるようにし、また、統合対象となるメールを簡単に削除できるようにしたのがポイントである。
【００５５】
これにより、同報メールに対する返信状況を、一目瞭然で、確認する事が可能になるばかりでなく、また、複数の返信メールを全て保存しておく必要がなくなるので、端末の記憶部に効率良くメールデータを保存する事ができる。
【００５６】
実施の形態２．
実施の形態１では、同報メールに対する複数の返信メールを、１つの入出力単位となる統合メールに統合する例を説明した。実施の形態２では、発信元が同じである２つの受信メールを、１つの入出力単位である統合メールに統合する処理について説明する。
【００５７】
図８は、実施の形態２に係る発信元が同じである２つの受信メールを、１つの統合メールに統合する場合の表示画面の一例を示した図である。
【００５８】
図８において、受信メールＤ８１と受信メールＥ８２を統合し、統合メールＤＥ８３を作成する処理について説明する。
【００５９】
統合対象メールである受信メールＤ８１と受信メールＥ８２においては、「宛先：宛先情報ＣＣＣ」と「発信元：発信元情報Ａ」が共通部分である。
【００６０】
また、データ種別「文章」では「文章：ＤＤＤＤＤＤＤＤ」と「文章：ＥＥＥＥＥＥＥＥ」が差分となる。
【００６１】
以上のように、実施の形態１と同様の処理により、共通部分と差分とを分析・抽出し、受信メールＤ８１と受信メールＥ８２を統合し、統合メールＤＥ８３を作成する。このとき、差分ワークテーブルに「文章：ＤＤＤＤＤＤＤＤ」と「文章：ＥＥＥＥＥＥＥＥ」にそれぞれ対応する「日時、時刻」を格納しておくことで、統合メールの差分の文章にそれぞれ受信時刻を設定することができ、よりわかりやすい統合メールＤＥを作成することができる。
【００６２】
また、実施の形態１と同様の処理により、統合メールＤＥ作成後、統合対象メールである受信メールＤ８１と受信メールＥ８２を記憶メモリから削除することができる。
【００６３】
以上のように、発信元が同じ２つの受信メールを、１つの入出力単位となる統合メールに統合することができるので、同じ発信元から複数の受信メールを受信した場合、複数回受信メールを確認する前に、確認したいメールを統合し、統合した統合メールを１回のアクセスで確認することができるので、複数の受信メールの内容を１回のアクセスで確認することができる。
【００６４】
また、統合対象メールを削除することで記憶メモリを効率的に利用することができる。
【００６５】
実施の形態３．
実施の形態１では、同報メールに対する複数の返信メールを、１つの統合メールに統合する例を説明した。このとき、統合対象メールのデータ内容は文字データの場合であったが、実施の形態３では、統合対象メールのデータに画像データが添付ファイルとして添付されている場合について説明する。
【００６６】
図９は、実施の形態３に係る同報メールに対する２つの返信メールに共通の画像ファイルが添付されている場合の統合メールの表示画面の一例を示した図である。
【００６７】
図９において、返信メールＡＰ９１と返信メールＢＰ９２を統合し、統合メールＡＢＰ９３を作成する処理について説明する。
【００６８】
統合対象メールである返信メールＡＰ９１と返信メールＢＰ９２において、「宛先：宛先情報ＣＣＣ」と「添付ファイル：画像Ｐ」が共通部分である。
【００６９】
また、「発信元：発信元情報ＡＡＡ」、「発信元：発信元情報ＢＢＢ」、「文章：ＡＡＡＡＰＰＰＰ」と「文章：ＢＢＢＢＰＰＰＰ」が差分となる。
【００７０】
以上のように、実施の形態１と同様の処理により、共通部分と差分とを分析・抽出し、返信メールＡＰ９１と返信メールＢＰ９２を統合し、統合メールＡＢＰ９３を作成する。
【００７１】
また、実施の形態１と同様の処理により、統合メールＡＢＰ作成後、統合対象メールである返信メールＡＰ９１と返信メールＢＰ９２を記憶メモリから削除することができる。
【００７２】
このように、画像データを１つに統合することができ、統合対象メールを削除することにより、データ量の多い画像データも効率よくメモリに保存することができる。
【００７３】
実施の形態４．
以上の実施の形態１〜３では、本発明に係る情報処理装置の一例として携帯電話端末を用いて説明したが、本発明に係る情報処理装置は無線あるいは有線での通信可能な情報通信端末あるいは情報通信サーバ等であってもよい。
【００７４】
本実施の形態では、無線あるいは有線での通信可能な情報処理端末の場合のハードウェア構成の一例を示す。
【００７５】
図１０は、実施の形態４における情報処理端末２００を構成する計算機システムの外観の一例を示す図である。
【００７６】
図１０において、情報処理端末２００は、システムユニット９１０、ＣＲＴ（Ｃａｔｈｏｄｅ  Ｒａｙ  Ｔｕｂｅ）表示装置９０１、キーボード（Ｋ／Ｂ）９０２、マウス９０３、フレキシブルディスク装置（ＦＤＤ）９０４、コンパクトディスク装置（ＣＤＤ）９０５、プリンタ装置９０６、スキャナ装置９０７を備え、これらはケーブルで接続されている。
【００７７】
さらに、情報処理端末２００は、ＦＡＸ機９３２、電話器９３１とケーブルで接続され、また、ローカルエリアネットワーク（ＬＡＮ）９４２、ゲートウェイ９４１を介してインターネット９４０に接続されている。
【００７８】
図１１は、実施の形態４における情報処理端末２００を構成する各装置のハードウェア構成の一例を示す図である。
【００７９】
図１１において、情報処理端末２００は、プログラムを実行するＣＰＵ９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６、スキャナ装置９０７と接続されている。
【００８０】
ＲＡＭは、揮発性メモリの一例である。ＲＯＭ、ＦＤＤ、ＣＤＤ、磁気ディスク装置、光ディスク装置は、不揮発性メモリの一例である。これらは、記憶装置の一例である。
【００８１】
通信ボード９１５は、ＦＡＸ機９３２、電話器９３１、ＬＡＮ９４２等に接続されている。
【００８２】
例えば、通信ボード９１５、Ｋ／Ｂ９０２、スキャナ装置９０７、ＦＤＤ９０４などは、入力装置の一例である。また、例えば、ＣＲＴ表示装置９０１などは、出力装置（表示装置）の一例である。
【００８３】
ここで、通信ボードは、ＬＡＮ９４２に限らず、直接、インターネット、或いはＩＳＤＮ等のＷＡＮ（ワイドエリアネットワーク）に接続されていても構わない。直接、インターネット、或いはＩＳＤＮ等のＷＡＮに接続されている場合、情報処理端末２００は、インターネット、或いはＩＳＤＮ等のＷＡＮに接続され、ゲートウェイ９４１は不用となる。
【００８４】
磁気ディスク装置９２０には、オペレーティングシステム（ＯＳ）９２１、ウィンドウシステム９２２、プログラム群９２３、ファイル群９２４が記憶されている。プログラム群は、ＣＰＵ９１１、ＯＳ９２１、ウィンドウシステム９２２により実行される。
【００８５】
上記プログラム群９２３には、実施の形態１〜３の説明において「通信部」、「制御部」、「記憶部」、「データ分析部」、「操作部」、「表示部」として説明する機能を実行するプログラムが記憶されている。プログラムは、ＣＰＵにより読み出され実行される。
【００８６】
本実施の形態では、ファイル群９２４には、実施の形態１〜３の説明において記憶メモリ１７に記憶・保存している統合対象メールである受信メールおよび統合メールとして説明するものが記憶されている。
【００８７】
また、実施の形態１の説明において説明する構成ブロック図の矢印の部分は主としてデータの入出力を示し、そのデータの入出力のためにデータは、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記録される。あるいは、信号線やその他の伝送媒体により伝送される。
【００８８】
また、実施の形態１〜３の説明において「通信部」、「制御部」、「記憶部」、「データ分析部」、「操作部」、「表示部」として説明するものは、本実施の形態においては、ＲＯＭ１３９に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００８９】
また、実施の形態１〜３を実施するプログラムは、本実施の形態においては、磁気ディスク装置、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体による記録装置を用いて記憶されても構わない。
【００９０】
以上のように、本実施の形態にかかる情報処理端末２００は、実施の形態１〜３と同様の処理により、ネットワークを介して受信した複数の受信データの共通部分と差分とを分析し、１つの入出力単位となるデータに統合することができる。
【００９１】
また、実施の形態１〜３と同様の処理により、統合データを作成し、磁気ディスク装置９２０のファイル群９２４に保存した後、複数の統合対象データを磁気ディスク装置９２０のファイル群９２４から削除することにより、磁気ディスク装置９２０の領域を効率的に利用することができる。
【図面の簡単な説明】
【００９２】
【図１】実施の形態１における携帯電話端末（情報処理装置の一例）１００のハードウェア構成の一例を示す図である。
【図２】実施の形態１に係る携帯電話端末１００のソフトウェア構成の一例を示す構成ブロック図である。
【図３】実施の形態１に係る携帯電話端末１００の処理の流れを示すフローチャートである。
【図４】実施の形態１におけるデータ統合処理の流れを示すフローチャートである。
【図５】実施の形態１における同報メールに対する２つの返信メールを統合した場合の表示画面の一例を示す図である。
【図６】実施の形態１における共通部分ワークテーブル６１の例を示す図である。
【図７】実施の形態１における差分ワークテーブル７１の例を示す図である。
【図８】実施の形態２における発信元が同じである２つの受信メールを、１つの統合メールに統合する場合の表示画面の一例を示した図である。
【図９】実施の形態３における同報メールに対する２つの返信メールに共通の画像ファイルが添付されている場合の統合メールの表示画面の一例を示した図である。
【図１０】実施の形態４における情報処理装置２００を構成する計算機システムの外観の一例を示す図である。
【図１１】実施の形態４における情報処理装置２００を構成する各装置のハードウェア構成の一例を示す図である。
【符号の説明】
【００９３】
１  通信路、２  通信部、３  制御部、４  記憶部、６  データ分析部、７  操作部、８  表示部、１１  処理装置（ＣＰＵ）、１２  入力装置、１３  通信装置、１４  表示装置（表示画面）、１５  メモリ、１６  ワークメモリ、１７  記憶メモリ、１８  バス、１９  スピーカ、２０  マイク、２１  アンテナ、５１  返信メールＡ、５２  返信メールＢ、５３  統合メールＣ、６１  共通部分ワークテーブル、７１  差分ワークテーブル、８１  受信メールＤ、８２  受信メールＥ、８３  統合メールＤＥ、９１  返信メールＡＰ、９２  返信メールＢＰ、９３  統合メールＡＢＰ、１００  携帯電話端末、２００  情報処理端末、９０１  ＣＲＴ表示装置、９０２  Ｋ／Ｂ、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ＦＡＸ機、９４２  ＬＡＮ、９４１  ゲートウェイ、９４０  インターネット。
【図１】
2006350833.tif 000003
【図２】
2006350833.tif 000004
【図３】
2006350833.tif 000005
【図４】
2006350833.tif 000006
【図５】
2006350833.tif 000007
【図６】
2006350833.tif 000008
【図７】
2006350833.tif 000009
【図８】
2006350833.tif 000010
【図９】
2006350833.tif 000011
【図１０】
2006350833.tif 000012
【図１１】
2006350833.tif 000013